(57)【要約】【課題】浴室内の空気を屋外に排出するために浴室外壁に新たな貫通孔を設けることなく、換気扇の無い住宅や浴室外壁への貫通孔の施工に制約のある住宅への適用が可能な浴室の暖房乾燥用排気装置を提供する。【解決手段】浴室２内に設けた室内側ダクト部２２に連通するダクト部２３を、燃焼機１又は燃焼機の給排気筒の設置に用いる浴室外壁４の貫通孔５に配設してその先端側を屋外３に露出させ、貫通孔５に配設したダクト部２３を通して浴室２内の空気を屋外３に排気する。【選択図】  図２
2004251542.tif 000002
【特許請求の範囲】
【請求項１】
浴室内に設けた室内側ダクト部に連通するダクト部を、燃焼機又は燃焼機の給排気筒の設置に用いる浴室外壁の貫通孔に配設しその先端側を屋外に露出し、上記貫通孔のダクト部を通して浴室内の空気を排気する浴室の暖房乾燥用排気装置。
【請求項２】
ダクト部を配設する浴室外壁の貫通孔に、壁貫通設置型燃焼機又はバランス型密閉式燃焼機の給排気筒が設置される請求項１記載の浴室の暖房乾燥用排気装置。
【請求項３】
貫通孔に配設したダクト部が、壁貫通設置型燃焼機の外装の上面側又はバランス型密閉式燃焼機の給排気筒の上面側に位置する請求項２記載の浴室の暖房乾燥用排気装置。
【発明の詳細な説明】
【０００１】
【発明の属する技術分野】
本発明は、浴室の暖房乾燥用排気装置、より詳しくは浴室の暖房乾燥システムにおける排気用ダクトの配置に関する。
【０００２】
【従来の技術】
集合住宅等に多い浴室の一例である図６に示すように、壁の一面が屋外３に面する浴室２の浴室外壁４に、浴室２から屋外３に貫通する貫通孔５を設けて、この貫通孔５に、壁貫通設置型燃焼機１を浴室２側から挿入設置して施工したり、あるいは、図示は省略したがバランス型密閉式燃焼機の給排気筒を設置して施工するようにしたものが知られている。
なお、上記の壁貫通設置型燃焼機１は、構造的には浴室２内に固定するフランジ部６と壁貫通部７とに大きく分かれ、フランジ部６下部には、給水，給湯，追焚，ガス配管の配管接続口８を有しており、また、壁貫通部７の内部には燃焼部を有して、壁貫通部７の屋外側上部に燃焼用排気口９、屋外側下部には燃焼用給気口１０を有しており、燃焼用給気口１０より給気された燃焼用空気を壁貫通部７内部に備えられた燃焼部及び熱交換器により熱交換して、燃焼した排ガスは、燃焼用排気口９より排出されるものであり、浴室外壁４の貫通孔５内部に給湯機としての機能を全て納める構造の給湯機である。
【０００３】
一方、浴室の暖房乾燥装置として、浴室に温風を供給するための熱交換器と換気用送風機を備える本体ケースを、浴室壁に設けた貫通孔の部分に取付け、屋外から貫通孔を通して本体ケース内の換気用送風機のダクトに接続した排気ダクトにより、浴室内の空気を屋外に排気する壁掛け式の換気機能を備える暖房乾燥装置などが知られている（例えば、特許文献１参照）。
また、一般的には浴室内の排気を行うために、単独で換気扇等を設けている場合が多いことも知られている。
【０００４】
ところで、前記の壁貫通設置型燃焼機やバランス型密閉式燃焼機等の燃焼機は設置されているものの、換気扇の設備が無い集合住宅などの浴室に上記の暖房乾燥システムを施工する場合には、浴室の排気を排出するための排気路を設けるため浴室外壁の内面から屋外に通じる貫通孔を、上記壁貫通設置型燃焼機やバランス型密閉式燃焼機の給排気筒を設置する貫通孔とは別に新たに設けなけばならず、その施工に手間がかかる問題がある。
また、集合住宅などの建物自体の構造的制約や建造物管理上の制約等から、浴室外壁に排気用のための貫通孔を新たに施工できない浴室については、暖房乾燥システムを適用することができないという問題点を有していた。
【０００５】
【特許文献１】
特開平１１−３７４９０号公報（第１−５頁、図８）
【０００６】
【発明が解決しようとする課題】
本発明は、浴室内の空気を屋外に排出するために浴室外壁に新たな貫通孔を設けることなく、換気扇の無い住宅や浴室外壁への貫通孔の施工に制約のある住宅への適用が可能な浴室の暖房乾燥用排気装置を提供しようとするものである。
【０００７】
【課題を解決するための手段】
本発明は、次のものに関する。
（１）浴室内に設けた室内側ダクト部に連通するダクト部を、燃焼機又は燃焼機の給排気筒の設置に用いる浴室外壁の貫通孔に配設しその先端側を屋外に露出し、上記貫通孔のダクト部を通して浴室内の空気を排気する浴室の暖房乾燥用排気装置。
（２）ダクト部を配設する浴室外壁の貫通孔に、壁貫通設置型燃焼機又はバランス型密閉式燃焼機の給排気筒が設置される上記（１）記載の浴室の暖房乾燥用排気装置。
（３）貫通孔に配設したダクト部が、壁貫通設置型燃焼機の外装の上面側又はバランス型密閉式燃焼機の給排気筒の上面側に位置する上記（２）記載の浴室の暖房乾燥用排気装置。
【０００８】
【作用】
本発明による浴室の暖房乾燥用排気装置では、暖房乾燥システムの適用による浴室の排気を屋外に排出するためのダクト部を、燃焼機又は燃焼機の給排気筒の設置に用いる貫通孔を利用して配設し、この貫通孔に配設したダクト部を通して浴室内の排気を屋外に排出するため、浴室に暖房乾燥システムを施工する場合において、浴室外壁に新たな貫通孔を設けたり換気扇を施工する必要がない。
なお、燃焼機としての壁貫通設置型燃焼機又はバランス型密閉式燃焼機の給排気筒が既に貫通孔に設置されている場合には、この貫通孔に燃焼機又は燃焼機の給排気筒とダクト部とを併設設置して、浴室内の排気を排出するための新たな貫通孔を浴室外壁に設けない。
【０００９】
【発明の実施の形態】
以下、本発明による浴室の暖房乾燥用排気装置の実施の形態について、図１乃至図５を参照して具体的に説明する。
図１は本発明による浴室の暖房乾燥用排気装置を燃焼機としての壁貫通設置型燃焼機に施工した状態の斜視図、図２は図１の概略縦断面図である。
図において、この実施の形態では、燃焼機として壁貫通設置型燃焼機１を熱源とし、浴槽エプロン１２内部に浴室内空気を熱交換する端末機１４を備え、暖房送風機１５により、浴槽エプロン１２の表面に設けた温風吹出口１３から、浴室２内に温風を吹き出す方式の浴室暖房乾燥システムとした。なお、この実施の形態では、温風吹出口１３を浴槽エプロン１２に設けるようにしたが、浴室内壁面に温風吹出口を設けて、屋外に暖房用熱源機を装備するシステムとしてもよい。
【００１０】
排気装置１１は、燃焼機１としての壁貫通設置型燃焼機の設置用に設けられた貫通孔５の浴室２内壁の一面が屋外３に面した浴室外壁４側で鉛直方向上部（浴槽１６の上縁面１７よりも上部）壁面付近に、浴室２内部の空気を吸い込むための送風機１８を備える。この送風機１８の固定と送風機１８を覆う立方体の吸込口ケース１９の一部に開口を設け、その開口を吸込口２０とする。この吸込口２０には、ルーバー２１を備え、異物の投入や水の進入を妨げる。前記吸込口ケース１９と連通する室内側ダクト部２２を、燃焼機設置用の貫通孔５に向かい設ける。
吹込口ケース１９と連通する室内側ダクト部２２は、円筒状でも構わないが、美観や浴室内面に固定する都合上、角筒状とするのが好ましい。次に、既設の燃焼機設置用の貫通孔５の上部に浴室２内から屋外３に連通する角筒状のダクト部２３を備え、ダクト部２３の浴室２内側端部と室内側ダクト部２２との端部は、Ｌ型の筒状に連通させる。室内側ダクト部２２と貫通孔５内のダクト部２３は、一体式に組まれた部品としてもよいが、搬送性や施工性を加味すると個々に独立した部品とするのが好ましい。上記の構成により排気装置１１に流れる空気は、浴室２内の空気を送風機１８により吸込口２０よりルーバー２１を介して吸込まれ、吸込口ケース２１から室内側ダクト部２２を経由し、貫通孔５内に配設したダクト部２３を介して屋外３に排出される。
【００１１】
次に、上記の貫通孔５に配設するダクト部２３について説明すると、図２中のＡ−Ａ断面図である図３（ａ）に示すように、実施の形態におけるダクト部２３は、壁貫通設置型燃焼機１の外装２４の上面に位置しており、ダクト部２３の幅寸法は、収まりと外観から外装２４の幅寸法と同一にするのが好ましい。また、ダクト部２３の高さ寸法は、送風機１８の能力にも依るが、３ｍｍ〜２００ｍｍ、好ましくは５ｍｍ〜３０ｍｍ程度とするのが好ましい。
図３（ａ）に示す実施の形態では、壁貫通設置型燃焼機１の外装２４の上面側に位置してダクト部２３を設けたが、これに限らず図３（ｂ）に示すように外装２４上面側と左右両面面に位置する形状、または、両側面のみや片側面のみの形状でも可能であり、さらには図３（ｃ）に示すように外装２４の周囲を覆う形状としてもよい。但し、壁貫通設置型燃焼機１との嵌合や室内側ダクト部２２との連通構造から、外装２４上面に位置して備える形状の図３（ａ）に示す例とするのが好ましい。また、ダクト部２３の長さ寸法は、浴室外壁４の浴室内側壁面から浴室外壁面２５の横方向寸法以上とし、少なくともダクト部２３の先端が屋外３に露出して浴室内の空気を屋外に排気できる寸法とし、一般的には２５０ｍｍ〜４００ｍｍ程度とされる。なお、ダクト部２３は二重管のスライド機構や蛇腹状の筒として長さ調整が可能な構造としてもよい。
【００１２】
次に、室内側ダクト部２２について説明すると、室内側ダクト部２２の幅寸法は、壁貫通設置型燃焼機１のフランジ部６の幅寸法と同じにするのが美観上好ましく、また、浴室外壁４から鉛直方向の高さ寸法は、３ｍｍ〜２００ｍｍ程度、好ましくは５ｍｍ〜３０ｍｍ程度とされる。一方、室内側ダクト部２２の長さ寸法は、吸込口ケース１９の適宜位置により変化し、二重管のスライド機構や蛇腹状の筒として長さ調整可能としてもよいが、１００ｍｍ〜２０００ｍｍ程度、より好ましくは５００ｍｍ〜１０００ｍｍ程度とされる。
【００１３】
上記の実施の形態では、燃焼機として壁貫通設置型燃焼機１との併設について説明したが、これと同様に図４に示すように、バランス型密閉式燃焼機２７と設置してもよく、浴室外壁４の貫通孔５に設置するバランス型密閉式燃焼機２７の給排気筒２８の上面に、図２で示した壁貫通設置型燃焼機１の外装２４上面に設置するダクト部２３と同様にダクト部２３を配備し、室内側ダクト部２２と連通させて排気装置１１を構成することもできる。
【００１４】
上記では壁貫通設置型燃焼機１やバランス型密閉式燃焼機２７と排気装置１１を併設した場合の実施の形態を示したが、壁貫通設置型燃焼機１やバランス型密閉式燃焼機２７を設置せず、排気装置１１のみを設置する場合の実施の形態の断面図を図５に示す。排気装置１１の装備については、前述した位置と同様に位置に配備する。前述の壁貫通設置型燃焼機１やバランス型密閉式燃焼機２７が装備されていた位置の貫通孔５には、ダクト部２３以外の開口部を閉塞する閉塞板２９を装備し、外気と浴室内の空気を遮断する。このときのダクト部２３の断面形状は、円筒状でも構わないが、美観や貫通孔５に固定する都合上、角筒状とするのが好ましい。
【００１５】
【発明の効果】
以上説明したように、本発明の浴室の暖房乾燥用排気装置によれば、換気扇の無い集合住宅等に浴室暖房乾燥システムに必要な排気を排出するための排気路を新たに設ける必要がないため、浴室の暖房乾燥システムを施工することが可能となる。また、住宅建物自体の構造的制約や住宅管理上の制約等で浴室外壁に貫通孔を施工できない浴室についても、暖房乾燥システムを設置することが可能となる。
【図面の簡単な説明】
【図１】本発明の実施の形態による浴室の暖房乾燥用排気装置を壁貫通設置型燃焼機に施工した状態の斜視図である。
【図２】図１の概略縦断面図である。
【図３】（ａ），（ｂ）及び（ｃ）はそれぞれ本発明による浴室の暖房乾燥用排気装置における図２中に示すＡ−Ａ断面部の実施形態を示す部分断面図である。
【図４】
本発明による浴室の暖房乾燥用排気装置をバランス型密閉式燃焼機に施工した状態の実施形態の簡略縦断面図である。
【図５】
本発明による浴室の暖房乾燥用排気装置を、壁貫通設置型燃焼機やバランス型密閉式燃焼機を設置せずに排気装置のみを設置する場合の実施形態を示す簡略縦断面図である。
【図６】
従来例による外壁貫通設置型燃焼機を設置した浴室の説明断面図である。
【符号の説明】
１  燃焼機（壁貫通設置型燃焼機）        ２  浴室
３  屋外                                ４  浴室外壁
５  貫通孔                              ６  フランジ部
７  壁貫通部                            ８  配管接続口
９  燃焼用排気口                      １０  燃焼用給気口
１１  排気装置                          １２  浴槽エプロン
１３  温風吹出口                        １４  端末機
１５  暖房送風機                        １６  浴槽
１７  上縁面                            １８  送風機
１９  吸込口ケース                      ２０  吸込口
２１  ルーバー                          ２２  室内側ダクト部
２３  ダクト部                          ２４  外装
２５  屋外壁面
２７  燃焼機（バランス型密閉式燃焼機）  ２８  給排気筒
２９  閉塞板
【図１】
2004251542.tif 000003
【図２】
2004251542.tif 000004
【図３】
2004251542.tif 000005
【図４】
2004251542.tif 000006
【図５】
2004251542.tif 000007
【図６】
2004251542.tif 000008